(57)【要約】【課題】ネットワークを通じてプリント注文を受け付けた画像に付加された音声情報等の付加情報を仕上がりの写真プリントを利用してユーザが簡単に入手することができるサービスを実現する。【解決手段】カメラ付き携帯電話３０からアップロードされた画像及びその画像に付加された音声情報等の付加情報をサービスサーバ１０のデータベースで管理する。そして、付加情報にアクセスするためのＵＲＬを発行し、このＵＲＬをＱＲコードに変換する。画像を含むオーダ情報とＱＲコードとをプリント装置２２に送信してプリント用紙に画像とともにＱＲコードを印刷した写真プリント２５を作成する。写真プリント２５上のＱＲコードをカメラ付き携帯電話３０で読み取り、該ＱＲコードを解読して得たＵＲＬでアクセスが行われると、そのＵＲＬに対応して管理されている画像の付加情報をデータベースから読み出してアクセスしたカメラ付き携帯電話３０に送信する。【選択図】      図３
2005108200.tif 000002
【特許請求の範囲】
【請求項１】
第１のユーザ端末機とネットワークを介して通信を行い、前記第１のユーザ端末機からアップロードされた画像の印刷指示を受け付けるサービスサーバにおいて、
前記第１のユーザ端末機から印刷指示する画像と該画像に関連付けられた付加情報を受信する受信手段と、
前記付加情報を管理するデータベースと、
前記付加情報にアクセスするためのアクセス情報を発行するアクセス情報発行手段と、
前記印刷指示を受け付けた画像とともに前記アクセス情報を含む文字列又はコードをプリンタに送信してプリント媒体上に印刷させる印刷指示手段と、
第２のユーザ端末機から前記プリント媒体上に印刷されているアクセス情報を含む文字列又はコードに基づいて当該アクセス情報を使用してアクセスされると、該アクセス情報に対応した付加情報を前記データベースから読み出して前記第２のユーザ端末機に送信する送信手段と、
を備えたことを特徴とするサービスサーバ。
【請求項２】
前記付加情報は、音声情報、位置情報、文字情報、及び音楽情報のうちの少なくとも１つを含むことを特徴とする請求項１に記載のサービスサーバ。
【請求項３】
前記付加情報は撮影時の位置情報を含み、
前記送信手段は前記データベースから読み出された撮影時の位置情報に基づいて該位置情報を含む地図情報を送信することを特徴とする請求項１乃至２のいずれかに記載のサービスサーバ。
【請求項４】
前記プリンタは前記サービスサーバ内のプリンタ、又は前記ネットワークに接続されたプリンタサーバ内のプリンタであることを特徴とする請求項１乃至３のいずれかに記載のサービスサーバ。
【請求項５】
前記データベースは前記受信した画像と該画像に関連付けられた付加情報とを管理し、
前記送信手段は前記第２のユーザ端末機からプリント媒体上に印刷されているアクセス情報を含む文字列又はコードに基づいて当該アクセス情報を使用してアクセスされると、該アクセス情報に対応して管理されている画像を前記データベースから読み出して前記第２のユーザ端末機に送信することを特徴とする請求項１乃至４のいずれかに記載のサービスサーバ。
【請求項６】
前記付加情報は音声情報を含み、
前記データベースは、前記第１または第２のユーザ端末機から該データベースで管理している画像に関連付けられた音声情報を新たに受信すると、新たに受信した音声情報を前記画像に付加し、又は新たに受信した音声情報で前記画像の音声情報を更新することを特徴とする請求項１乃至５のいずれかに記載のサービスサーバ。
【請求項７】
前記第１のユーザ端末機はカメラ付き携帯電話であることを特徴とする請求項１乃至６のいずれかに記載のサービスサーバ。
【請求項８】
前記アクセス情報を含むコードは二次元コードであることを特徴とする請求項１乃至７のいずれかに記載のサービスサーバ。
【請求項９】
前記第２のユーザ端末機はカメラ付き携帯電話であり、前記二次元コードを撮影した画像を解読してアクセス情報を取得する機能を有することを特徴とする請求項１乃至８のいずれかに記載のサービスサーバ。
【請求項１０】
前記第１のユーザ端末機と前記第２のユーザ端末機とが同一であることを特徴とする請求項１乃至９のいずれかに記載のサービスサーバ。
【請求項１１】
第１のユーザ端末機からネットワークを介して印刷指示する画像と該画像に関連付けられた付加情報をサービスサーバにアップロードするステップと、
前記付加情報をデータベースで管理するステップと、
前記付加情報にアクセスするためのアクセス情報を発行するステップと、
前記印刷指示を受け付けた画像とともに前記アクセス情報を含む文字列又はコードをプリント媒体上に印刷するステップと、
第２のユーザ端末機から前記プリント媒体上に印刷されているアクセス情報を含む文字列又はコードに基づいて当該アクセス情報を使用してアクセスするステップと、
前記アクセス情報を使用してアクセスされると、該アクセス情報に対応した付加情報を前記データベースから読み出して前記第２のユーザ端末機に送信するステップと、
を含むことを特徴とするプリントサービス方法。
【請求項１２】
ネットワークを介してユーザ端末機とサービスサーバとが互いに通信可能な画像データ通信システムにおいて、前記ユーザ端末機が、印刷すべき画像データを表示する印刷画像表示手段と、印刷すべき画像データを指定する印刷画像指定手段と、前記印刷すべき画像データに関連付けられた付加情報を入力する付加情報入力手段と、前記付加情報入力手段によって入力された付加情報を前記サービスサーバに送信する送信手段を備え、前記サービスサーバが発行する前記付加情報にアクセスするためのアクセス情報を含む文字列又はコードを入力するアクセス情報入力手段と、前記アクセス情報を前記サービスサーバに送信するアクセス情報送信手段と、該アクセス情報に対応した付加情報をサービスサーバから受信する付加情報受信手段と、前記付加情報を出力する付加情報出力手段と、を備えたことを特徴とするユーザ端末機。
【請求項１３】
前記ユーザ端末機は少なくとも１つ以上の印刷すべき画像データを記憶する印刷画像記憶手段と、印刷すべき画像データを前記サービスサーバに送信する印刷画像送信手段と、をさらに備えることを特徴とする請求項１２に記載のユーザ端末機。
【請求項１４】
ネットワークを介してユーザ端末機とサービスサーバとが互いに通信可能な画像データ通信システムにおいて、印刷すべき画像データを表示させ、印刷すべき画像データを指定させ、前記印刷すべき画像データに関連付けられた付加情報を入力させ、指定された画像データと入力された付加情報を前記サービスサーバに送信させ、前記サービスサーバが発行する前記付加情報にアクセスするためのアクセス情報を含む文字列又はコードを入力させ、前記アクセス情報を前記サービスサーバに送信させ、該アクセス情報に対応した付加情報をサービスサーバから受信させ、前記付加情報を出力させるようにユーザ端末機を制御するプログラム。
【発明の詳細な説明】
【技術分野】
【０００１】
本発明はサービスサーバ及びプリントサービス方法に係り、特にカメラ付き携帯電話、パーソナルコンピュータ（ＰＣ）、携帯情報端末（ＰＤＡ）等のユーザ端末機からアップロードされた画像のプリント注文を受け付けるサービスサーバ及びプリントサービス方法に関する。
【背景技術】
【０００２】
従来、写真プリント上に音声データをバーコードとして印刷し、このバーコードをバーコードリーダで読み取って音声に変換して発音させるトークフォト作成システムが提案されている（特許文献１）。
【０００３】
また、ポスター、吊り広告、タウン誌等の広告媒体に印刷されている二次元コード（例えば、ＱＲコード）を撮影し、その二次元コードを解読して情報を取得することができる携帯型通信端末（カメラ付き携帯電話）が提案されている（特許文献２）。
【０００４】
前記二次元コードには、広告対象の商品あるいはサービスの詳細情報が載せられているサイトのＵＲＬ（Uniform Resource Locators ）が含まれており、前記カメラ付き携帯電話は、二次元コードに含まれるＵＲＬにより前記サイトにアクセスできるようになっている。
【０００５】
これにより、ユーザは所望の広告媒体に関連するサイトに簡単にアクセスすることができる。
【特許文献１】特開２００１−５１３６８号公報
【特許文献２】特開２００２−１１８６８０号公報
【発明の開示】
【発明が解決しようとする課題】
【０００６】
特許文献１に記載のトークフォト作成システムによって作成された写真プリントから音声を発生させるためには、写真プリント上のバーコードを読み取り、これを音声に変換して発音させる専用の再生装置が必要であり、また、写真プリント上のバーコードによって記録できる情報量では、十分に人の声を再現したり、長い時間の音声の再生を行うことができず、更に一度、写真プリント上に音声データを示すバーコードを記録すると、その音声データを更新することができないという問題がある。
【０００７】
一方、特許文献２に記載のカメラ付き携帯電話は、広告媒体に印刷された二次元コードを撮影し、この撮影した二次元コードを解読して接続先のＵＲＬを取得することができ、このＵＲＬにより接続先に接続して必要な情報を入手することができるが、特許文献２には、ユーザ画像に関連付けられた音声等の付加情報を入手する技術や仕組みについては記載されていない。
【０００８】
本発明はこのような事情に鑑みてなされたもので、カメラ付き携帯電話等のユーザ端末機からアップロードされた画像の印刷指示を受け付けることができ、特にプリント注文を受け付けた画像に関連付けられた音声、位置情報、音楽等の付加情報を仕上がりの写真プリントを利用してユーザが簡単に入手することができるサービスを実現するサービスサーバ及びプリントサービス方法を提供することを目的とする。
【課題を解決するための手段】
【０００９】
前記目的を達成するために請求項１に係る発明は、第１のユーザ端末機とネットワークを介して通信を行い、前記第１のユーザ端末機からアップロードされた画像の印刷指示を受け付けるサービスサーバにおいて、前記第１のユーザ端末機から印刷指示する画像と該画像に関連付けられた付加情報を受信する受信手段と、前記付加情報を管理するデータベースと、前記付加情報にアクセスするためのアクセス情報を発行するアクセス情報発行手段と、前記印刷指示を受け付けた画像とともに前記アクセス情報を含む文字列又はコードをプリンタに送信してプリント媒体上に印刷させる印刷指示手段と、第２のユーザ端末機から前記プリント媒体上に印刷されているアクセス情報を含む文字列又はコードに基づいて当該アクセス情報を使用してアクセスされると、該アクセス情報に対応した付加情報を前記データベースから読み出して前記第２のユーザ端末機に送信する送信手段と、を備えたことを特徴としている。
【００１０】
即ち、第１のユーザ端末機からネットワークを介して写真プリントの指示を受け付けるときに画像とその画像に関連付けられた付加情報を受信してデータベースで管理する。そして、各付加情報にアクセスするためのアクセス情報（ＵＲＬ）を発行し、このアクセス情報を含む文字列又はコードと印刷指示を受け付けた画像とをプリンタに送信してプリント用紙等のプリント媒体上に印刷させる。このようにして印刷されたアクセス情報を含む文字列又はコードを含む写真プリントは、ユーザ指定の取次店やユーザの自宅等に配送される。またはユーザのプリンタで印刷しても良い。そして、第２のユーザ端末機を操作して前記写真プリント上に印刷されているアクセス情報の文字列を入力し、又はアクセス情報のコード（バーコード、２次元コード等）をコード読取機能を有する第２のユーザ端末機で読み取らせてアクセスが行われると、そのアクセス情報に対応した付加情報をデータベースから読み出して第２のユーザ端末機に送信するようにしている。これにより、ユーザは写真プリント上に印刷されたアクセス情報を含む文字列又はコードを使用して写真プリントの画像に関連付けられた付加情報を簡単に入手することができる。
【００１１】
請求項２に示すように請求項１に記載のサービスサーバにおいて、前記付加情報は、音声情報、位置情報、文字情報、及び音楽情報のうちの少なくとも１つを含むことを特徴としている。
【００１２】
請求項３に示すように請求項１乃至２のいずれかに記載のサービスサーバにおいて、前記付加情報は撮影時の位置情報を含み、前記送信手段はデータベースから読み出された撮影時の位置情報に基づいて該位置情報を含む地図情報を送信することを特徴としている。
【００１３】
請求項４に示すように請求項１乃至３のいずれかに記載のサービスサーバにおいて、前記プリンタは前記サービスサーバ内のプリンタ、又は前記ネットワークに接続されたプリンタサーバ内のプリンタであることを特徴としている。
【００１４】
請求項５に示すように請求項１乃至４のいずれかに記載のサービスサーバにおいて、前記データベースは前記受信した画像と該画像に関連付けられた付加情報とを管理し、前記送信手段は前記第２のユーザ端末機からプリント媒体上に印刷されているアクセス情報を含む文字列又はコードに基づいて当該アクセス情報を使用してアクセスされると、該アクセス情報に対応して管理されている画像を前記データベースから読み出して前記第２のユーザ端末機に送信することを特徴としている。即ち、画像の付加情報を取得することができるとともに画像の閲覧もできる。
【００１５】
請求項６に示すように請求項１乃至５のいずれかに記載のサービスサーバにおいて、前記付加情報は音声情報を含み、前記データベースは、前記第１または第２のユーザ端末機から該データベースで管理している画像に関連付けられた音声情報を新たに受信すると、新たに受信した音声情報を前記画像に付加し、又は新たに受信した音声情報で前記画像の音声情報を更新することを特徴としている。即ち、音声情報は画像をアップロードするときに限らず、いつでもサービスサーバに送信することができ、音声情報のない画像の場合には新規に音声情報が付加され、音声情報のある画像の場合には最新の音声情報に更新される。
【００１６】
請求項７に示すように請求項１乃至６のいずれかに記載のサービスサーバにおいて、前記第１のユーザ端末機はカメラ付き携帯電話であることを特徴としている。
【００１７】
請求項８に示すように請求項１乃至７のいずれかに記載のサービスサーバにおいて、前記アクセス情報を含むコードは二次元コードであることを特徴としている。
【００１８】
請求項９に示すように請求項１乃至８のいずれかに記載のサービスサーバにおいて、前記第２のユーザ端末機はカメラ付き携帯電話であり、前記二次元コードを撮影した画像を解読してアクセス情報を取得する機能を有することを特徴としている。
【００１９】
請求項１０に示すように請求項１乃至９のいずれかに記載のサービスサーバにおいて、前記第１のユーザ端末機と前記第２のユーザ端末機とが同一であることを特徴としている。
【００２０】
請求項１１に係るプリントサービス方法は、第１のユーザ端末機からネットワークを介して印刷指示する画像と該画像に関連付けられた付加情報をサービスサーバにアップロードするステップと、前記付加情報をデータベースで管理するステップと、前記付加情報にアクセスするためのアクセス情報を発行するステップと、前記印刷指示を受け付けた画像とともに前記アクセス情報を含む文字列又はコードをプリント媒体上に印刷するステップと、第２のユーザ端末機から前記プリント媒体上に印刷されているアクセス情報を含む文字列又はコードに基づいて当該アクセス情報を使用してアクセスするステップと、前記アクセス情報を使用してアクセスされると、該アクセス情報に対応した付加情報を前記データベースから読み出して前記第２のユーザ端末機に送信するステップと、を含むことを特徴としている。
【００２１】
請求項１２に係るユーザ端末機は、ネットワークを介してユーザ端末機とサービスサーバとが互いに通信可能な画像データ通信システムにおいて、前記ユーザ端末機が、印刷すべき画像データを表示する印刷画像表示手段と、印刷すべき画像データを指定する印刷画像指定手段と、前記印刷すべき画像データに関連付けられた付加情報を入力する付加情報入力手段と、前記付加情報入力手段によって入力された付加情報を前記サービスサーバに送信する送信手段を備え、前記サービスサーバが発行する前記付加情報にアクセスするためのアクセス情報を含む文字列又はコードを入力するアクセス情報入力手段と、前記アクセス情報を前記サービスサーバに送信するアクセス情報送信手段と、該アクセス情報に対応した付加情報をサービスサーバから受信する付加情報受信手段と、前記付加情報を出力する付加情報出力手段と、を備えたことを特徴としている。
【００２２】
請求項１３に示すように請求項１２に記載のユーザ端末機において、少なくとも１つ以上の印刷すべき画像データを記憶する印刷画像記憶手段と、印刷すべき画像データを前記サービスサーバに送信する印刷画像送信手段と、をさらに備えることを特徴としている。即ち、ユーザ端末機内の複数の画像データから所望の画像データを表示し、印刷指定することができる。
【００２３】
請求項１４に係るプログラムは、ネットワークを介してユーザ端末機とサービスサーバとが互いに通信可能な画像データ通信システムにおいて、印刷すべき画像データを表示させ、印刷すべき画像データを指定させ、前記印刷すべき画像データに関連付けられた付加情報を入力させ、指定された画像データと入力された付加情報を前記サービスサーバに送信させ、前記サービスサーバが発行する前記付加情報にアクセスするためのアクセス情報を含む文字列又はコードを入力させ、前記アクセス情報を前記サービスサーバに送信させ、該アクセス情報に対応した付加情報をサービスサーバから受信させ、前記付加情報を出力させるようにユーザ端末機を制御することを特徴としている。
【発明の効果】
【００２４】
上記構成の本発明によれば、カメラ付き携帯電話等のユーザ端末機からアップロードされた画像の印刷指示を受け付けることができ、特に印刷指示を受け付けた画像に関連付けられた音声、位置情報、音楽等の付加情報を、仕上がりの写真プリントに印刷されたアクセス情報の文字列又はコードを利用してユーザが簡単に入手できるサービスを実現することができ、ユーザの写真プリントの楽しみ方が広がる。
【発明を実施するための最良の形態】
【００２５】
以下添付図面に従って本発明に係るサービスサーバ及びプリントサービス方法の好ましい実施の形態について詳説する。
【００２６】
図１は本発明に係るプリントサービス方法を実現するためのプリントサービスシステムを示すシステム構成図であり、このシステムは、サービスサーバ１０と、プリントサーバ２０と、第１のユーザ端末機としてのカメラ付き携帯電話３０、第２のユーザ端末機としてのカメラ付き携帯電話３５と、ＰＣ４０とから構成され、インターネット５０を通じて相互に通信可能になっている。ネットワークは、インターネット５０の他に公衆回線網、無線ＬＡＮなどであっても良い。
【００２７】
図２はサービスサーバ１０の構成例を示すブロック図である。
【００２８】
同図に示すようにサービスサーバ１０は、主としてHTTP(Hypertext Transfer Protocol) 通信部１１と、制御部１２と、ユーザからアップロードされた画像及びその画像の付加情報を登録管理する画像／付加情報データベース１３と、ユーザＩＤ、パスワード、氏名、住所、メールアドレス等のユーザ情報を管理するユーザ情報データベース１４と、プリント枚数、プリントサイズ、プリント料金、画像保管料金等の課金に必要な課金情報を管理する課金情報データベース１５、ＧＰＳ装置（Global Positioning System)によって測位された緯度、経度等のＧＰＳ情報に関連付けられた地図情報を管理する地図情報データベース１６とから構成されている。
【００２９】
制御部１２は、サービスサーバ１０内の各部を統括、制御するもので、ブラウザを用いる閲覧ソフト、管理ソフト、ＵＲＬ発行ソフト等を含み、HTTP通信部１１を介して受信したプリント注文された画像及びその付加情報を画像／付加情報データベース１３に登録し、画像／付加情報データベース１３に登録された各画像や付加情報にアクセスするためのＵＲＬを発行し、更にそのＵＲＬの文字列から該文字列を示すコード（例えば、ＱＲコードなどの二次元コード）を作成する。そして、制御部１２は、オーダ情報（プリント注文された画像データ、プリントサイズ、ユーザ情報等の情報）とともに、各画像ごとに発行したＵＲＬを示すＱＲコードをHTTP通信部１１を介してプリントサーバ２０に送信する。
【００３０】
また、制御部１２は、画像及び付加情報にアクセスするためのＵＲＬのＩＰアドレス及びHTTPリクエストをHTTP通信部１１を介して受信すると、画像／付加情報データベース１３内の情報の中から受信したＩＰアドレス及びHTTPリクエストで特定される目的の画像／付加情報を読み出し、アクセスした要求元の機器に対して画像や付加情報を送信する。
【００３１】
図１において、プリントサーバ２０は、サーバコンピュータ２１と、プリント装置２２とを備えており、サービスサーバ１０から受信したオーダ情報及びＱＲコードに基づいてプリント装置２２によりプリント用紙上に画像とＱＲコードとを印刷した写真プリントを作成する。
【００３２】
尚、サービスサーバ１０からはＱＲコードの代わりにＵＲＬをプリントサーバ２０に送信し、プリントサーバ２０側でＵＲＬからＱＲコードに変換して印刷するようにしてもよいし、ＵＲＬの文字列をそのまま印刷するようにしてもよい。
【００３３】
プリントサーバ２０で印刷されたＱＲコード付きの写真プリントは、ユーザが指定したコンビニエンス・ストアや写真店などの受取先に配送されたり、直接利用者の自宅に配送される。
【００３４】
また、プリントサーバ２０は１箇所に限らず、全国に複数箇所設定し、サービスサーバ１０からはユーザが指定した配送先に最も近いプリントサーバにオーダ情報及びＱＲコードを転送するのが好ましい。更に、プリントサーバ２０を設けずに、サービスサーバ１０にプリント装置を設置してもよい。また、ユーザの所有するプリンタに画像とＱＲコードを印刷した写真プリントを作成させてもよい。
【００３５】
カメラ付き携帯電話３０（以下、単に「携帯電話」という）は、通常の通話機能を有するとともに、電子メール機能やＵＲＬを入力してＷＷＷサーバのＷｅｂサイトにアクセスする機能を有している。また、携帯電話３０で撮影した画像は、携帯電話内のメディアに保存したり、メールに添付して送信先に送ることができる。
【００３６】
また、撮影した画像のプリント注文をインターネット５０を通じて行う場合には、例えばプリント注文用のアプリケーションを起動し、携帯電話内のメディアに保存されている画像からプリント注文する画像を選択したり、その選択した画像に対してコメント等の音声情報を付加し、これらの情報をサービスサーバ１０にアップロードする。
【００３７】
携帯電話内に保存されている画像のほかに、すでにサービスサーバ１０にアップロードされている画像を選択し、その選択した画像に対してコメント等の音声情報を付加し、これらの情報をサービスサーバ１０にアップロードしても構わない。
【００３８】
更に、携帯電話３５は写真プリントに印刷されたＱＲコードを認識し、その認識したＱＲコードを解読してＵＲＬを取得する機能を有し、このようにして取得したＵＲＬを使用してサービスサーバ１０にアクセスすることで、ＱＲコードが印刷された写真プリントの画像の付加情報（音声情報等）をサービスサーバ１０から受信して再生することができる。
【００３９】
次に、図３を参照しながらプリント注文から写真プリントの作成及びその写真プリントに付加された付加情報がユーザに提供されるサービスの流れについて説明する。
【００４０】
(1) 携帯電話３０で画像を撮影し、携帯電話内のメディアに保管する。画像を保管する場合に、撮影画像に対して情報を付加することができる。例えば、ＧＰＳ装置を有する携帯電話３０の場合には、ＧＰＳ情報が画像に付加される。即ち、携帯電話３０によって携帯電話内のメディアに記録される画像ファイルは、デジタルカメラ用のExif(Exchangeable image file format ）ファイル規定により作成されるが、このExifファイルは、Exifタグ情報、サムネイル、JPEG(joint photgraphic experts group) 圧縮処理された主画像を有している。Exifタグ情報としては、撮影日時に関するタグ情報、撮影条件に関するタグ情報等を含み、このExifタグ情報として前記ＧＰＳ情報を書き込むことができるようになっている。
【００４１】
また、画像に付加する付加情報としては、ＧＰＳ情報（位置情報）の他に、音声情報、文字情報、音楽情報などがある。携帯電話３０で画像に音声情報を付加する場合には、例えば画像を携帯電話３０に表示している状態で音声情報を入力するメニューを選択し、携帯電話３０のボタンに割り当てれている録音開始ボタンを押してコメント等の音声を入力し、録音終了ボタンを押して音声入力を終了させる。
【００４２】
このようにして音声情報の入力が行われると、例えばWindows(商標) において標準となっているWAV フォーマット(Waveform Format) の音声ファイルが作成され、携帯電話内のメディアに記録される。このとき、画像ファイルと音声ファイルとが関連付けられて記録される。この関連付けは、画像ファイルのファイル名として「DSCF0001.JPG」が付けられている場合、音声ファイルのファイル名を「DSCF0001.WAV」とし、両者のファイル名の拡張子のみを異ならせることで関連付けを行うことができる。
【００４３】
尚、撮影画像に音声情報や位置情報等の付加情報を付加しないことも可能である。
【００４４】
(2) サービスサーバ１０にアクセスし、サービスサーバのプリント注文受付のメニュー上で携帯電話３０内のメディアに保存された画像の中からプリント注文する画像を選択する。また、プリント注文する画像毎のプリントサイズやプリント枚数の指定を行う。尚、画像に付加する音声情報は、プリント注文する画像を選択しながら各画像ごとに行うようにしてもよい。
【００４５】
(3) プリント注文する画像を選択したのち送信ボタンを押すと、画像データ、注文情報等を含むオーダ情報がサービスサーバ１０にアップロードされる。このとき、付加情報も同時にサービスサーバ１０に転送される。
【００４６】
サービスサーバ１０はプリント注文を受け付けると、受け取った画像と付加情報を１単位（以降、「画像＋情報」という）とし、オーダごとに画像／付加情報データベース１３で管理する。
【００４７】
(4) サービスサーバ１０は、受付結果を携帯電話３０に送信する。受付結果には、アップロードした画像＋情報をオーダ単位で管理したアクセスＵＲＬ（例えば、ＵＲＬ:http://abcde.jp/1) 、枚数、プリントサイズ、プリント料金、納期情報が記載される。
【００４８】
(5) サービスサーバ１０は、画像＋情報にアクセスするためのＵＲＬを作成し、更にＵＲＬをＱＲコード化する（ＱＲコード化するのはサービスサーバ１０側ではなく、プリントサーバ２０側であってもよい）。そして、画像、プリントサイズ、ユーザ情報等を含むオーダ情報と、ＱＲコード（ＵＲＬ文字列でもよい）をプリントサーバ２０に転送する。
【００４９】
(6) プリントサーバ２０は、サービスサーバ１０から受信したオーダ情報及びＱＲコードに基づいてプリント装置２２によりプリント用紙上に画像２３とＱＲコード２４とを印刷した写真プリント２５を作成する。この写真プリント２５は、ユーザが指定した受取先や自宅に配送される。
【００５０】
(7) 携帯電話３５で写真プリント２５の画像２３に付加された付加情報を取得する場合には、携帯電話３５をＱＲコード読取モードにして写真プリント２５に印刷されているＱＲコード２４を認識する。携帯電話３５は認識したＱＲコードを解読してＵＲＬを取得する。
【００５１】
(8) 前記取得したＵＲＬを使用して画像＋情報にアクセスすると、サービスサーバ１０は、ＵＲＬに対応した付加情報に基づいたサービスを提供する。例えば、ＵＲＬ(http://abcde.jp/1/1) でアクセスすると、サービスサーバ１０は、画像２３に付加された付加情報（音声情報、位置情報）を携帯電話３５に送信し、音声を携帯電話３５で再生させるサービスを行ったり、画像を撮影した位置情報を携帯電話３５のモニタ上に表示させるサービスを行う。
【００５２】
尚、１つの画像に付加情報が複数ある場合には、適宜選択できるようになっており、また、付加情報がない場合は画像を携帯電話３５の待ち受け画像として取り込ませることができる。更に、画像の閲覧やダウンロードもでき、特にプリント注文後に携帯電話３０のメディアから画像を消去した場合には有効である。
【００５３】
また、位置情報の場合には、ＧＰＳ情報（緯度、経度）を表示させるのではなく、撮影位置が記された地図を携帯電話３０に表示させる。即ち、サービスサーバ１０は、画像に付加されたＧＰＳ情報に基づいて地図情報データベース１６（図２）からＧＰＳ情報が示す位置を中心とする所定の範囲の地図情報を読み出し、この地図情報を携帯電話３５に送信して携帯電話３５のモニタ上に地図を表示させる。
【００５４】
(9) 同様に、受付結果で得たアクセスＵＲＬでアクセスすると、オーダ毎の画像閲覧ができ、付加情報も得ることができる。
【００５５】
(10)本サービスは、プリント注文を受け付けてから一定期間、画像＋情報を保管し、上述のサービスを提供する。一定期間経過すると、上記サービスの提供を終了するが、別途料金（ストレージ料金）を支払うことで保管期間を延長することができる。
【００５６】
また、アップロードされた画像はオーダ単位で管理され、ユーザ単位では管理されていない。従って、受付結果で取得したＵＲＬではオーダ単位の画像しか閲覧できず、ユーザがアップロードした全ての画像をまとめて閲覧することができない。
【００５７】
そこで、ユーザがアップロードした全ての画像をまとめて閲覧できるサービスを希望する場合には、オーナ画像管理サービスの申し込みを行う。オーナ画像管理サービスの申し込み時には、自分でＩＤとパスワードＰＷを決めて登録する。尚、このサービスを受けるためには別途料金が発生する。
【００５８】
(11)オーナ画像管理サービスを申し込むと、携帯電話３０内に蓄積されている受付結果から全てのＵＲＬをソフトで収集し、その収集したＵＲＬと、ＩＤ、ＰＷをサービスサーバ１０に送信する。サービスサーバ１０側では、受信した全てのＵＲＬを関連付けて閲覧ページを作成する。それ以降、サービスサーバ１０は、ＩＤとＰＷによりオーナ単位で画像を管理する。
【００５９】
(12)オーナ画像管理サービスが受け付けられると、ＰＣ４０等からもアクセスが可能となる。即ち、あるＵＲＬにアクセスし、ＩＤとＰＷを入力することでオーナページに入ることができる。オーナページは携帯電話３０用とＰＣ４０用とに分けられ、ＰＣ４０用の方がより機能が強化されている。
【００６０】
尚、この実施の形態では、携帯電話３０からプリント注文する画像等をサービスサーバ１０にアップロードするようにしたが、これに限らず、図１に示すようにデジタルカメラ４１から取り込んでＰＣ４０に保存した画像の中からプリント注文する画像を選択し、ＰＣ４０からプリント注文する画像等をサービスサーバ１０にアップロードしてもよい。
【００６１】
また、ＱＲコードが印刷された写真プリントを友達にあげると、その友達は自分の携帯電話でＱＲコードを読み取ることで、画像に付加された付加情報（友達が入力した音声情報等）も得ることができる。
【００６２】
更に、画像に付加する付加情報（特に、音声情報）は、プリント注文する画像をアップロードした後、その画像の付加情報として追加するようにしてもよいし、既に音声情報が付加されている場合には新たな音声情報によって更新するようにしてもよい。
【００６３】
図４はＱＲコードが印刷された写真プリントの実施の形態を示す図である。
【００６４】
この写真プリント２６には、その四隅にそれぞれＱＲコード２７Ａ〜２７Ｄが印刷されている。
【００６５】
これらのＱＲコード２７Ａ〜２７Ｄのうちの何れか１つのＱＲコードに画像＋情報をアクセスするためのＵＲＬの情報を埋め込み、他のＱＲコードには、広告にアクセスさせるＵＲＬや、ＵＲＬ以外の情報（「ハズレ」などの文字コード）を埋め込むことができる。広告にアクセスすると、最初のアクセスのみにポイントを加算する仕組みにし、ユーザにポイント還元する。これにより、カードの銀剥がしのような感覚でＱＲコードを読むことができ、ＱＲコードを読み込まなければ分からない楽しさが得られる。
【００６６】
また、画像の付加情報が複数ある場合には、ＱＲコード２７Ａ〜２７Ｄごとに取得できる付加情報を割り当てるようにしてもよい。
【００６７】
尚、この実施の形態では、付加情報が存在しない画像の場合には、携帯電話の待ち受け画像として画像を取り込むようにしているが、これに限らず、携帯電話内の着信メロディが保存されているテーブルの中から使用していないものをランダムに指定してメロディを再生するようにしてもよい。ヒット曲の移り変わりは早いため、せっかくダウンロードしたメロディも埋もれがちになるが、これにより無駄に蓄積されているメロディを有効に利用することができる。
【００６８】
また、携帯電話からアップロードされる画像の画像サイズは、数十万画素から百万画素を越えるものがあり、特に画素数の少ない画像は、画質を維持するために小さく印刷する必要がある。この場合、写真プリントには大きな余白が生じるが、この余白部分にＱＲコードを印刷することで、余白を有効に利用することができる。尚、余白が大きいほど、大きなＱＲコードを印刷し、ＱＰコードに多くの情報を埋め込むことができる。
【００６９】
更に、ＱＲコードなどは、写真プリントの余白に印刷する場合に限らず、可視化されない形で画像内に埋め込むようにしてもよい。この場合、写真プリントの中心に埋め込むのが好ましい。
【００７０】
また、この実施の形態では、写真プリントにＱＲコードを印刷するようにしたが、これに限らず、他の二次元コード、バーコード、あるいはＵＲＬの文字列を印刷するようにしてもよい。
【図面の簡単な説明】
【００７１】
【図１】本発明に係るプリントサービス方法を実現するためのプリントサービスシス    テムを示すシステム構成図
【図２】サービスサーバの実施の形態を示すブロック図
【図３】プリントサービスシステムにおける処理や情報の流れを示す図
【図４】ＱＲコードが印刷された写真プリントの実施の形態を示す図
【符号の説明】
【００７２】
１０…サービスサーバ、１１…HTTP通信部、１２…制御部、１３…画像／付加情報データベース、１４…ユーザ情報データベース、１５…課金情報データベース、１６…地図情報データベース、２０…プリントサーバ、２１…サーバコンピュータ、２２…プリント装置、３０…カメラ付き携帯電話、３５…カメラ付き携帯電話、４０…パーソナルコンピュータ（ＰＣ）
【図１】
2005108200.tif 000003
【図２】
2005108200.tif 000004
【図３】
2005108200.tif 000005
【図４】
2005108200.tif 000006